(57)【要約】  ＮＢＣフィルタユニットと、通常時又は従来の災害時に有効な換気モードとＮＢＣ災害時に有効なＮＢＣ防護モードとの間でＮＢＣろ過システム状態を切り換えるための手段とを有する、共同防護シェルターのための床面積節約型ＮＢＣろ過システム。ＮＢＣろ過システムは、シェルター居住者の快適な範囲から外れた空間に収容され、それにより、使用可能な床面積を節約する。ＮＢＣろ過システム状態を切り換えるための手段は、シェルター居住者の快適な範囲内の位置から操作される。ＮＢＣフィルタユニット入口及び出口は互いに非常に近接して配置され、前置フィルタ出口は、ＮＢＣフィルタユニット入口及び出口に近接して配置され、ＮＢＣろ過システム状態を切り換えるための手段として働く切換弁は、その間に配置される。結果として、先行技術の場所をとる可撓管に取って代わる切換弁により、簡単な操作及び空間の節約がもたらされる。【選択図】図１ｂ
2019525115.tif 000002
【特許請求の範囲】
【請求項１】
共同防護シェルターのための床面積節約型ＮＢＣろ過システムであって、少なくとも１つのＮＢＣフィルタユニットと、電動送風機と、通常時又は従来の災害時に有効な換気モードとＮＢＣ災害時に有効なＮＢＣ防護モードとの間でＮＢＣろ過システム状態を切り換えるための手段と、を備え、前記ＮＢＣろ過システムが、シェルター居住者の快適な範囲から外れた空間に収容され、それにより、使用可能な床面積を節約し、前記ＮＢＣろ過システム状態を切り換えるための前記手段が、前記シェルター居住者の前記快適な範囲内の位置から操作される、床面積節約型ＮＢＣろ過システム。
【請求項２】
前記ＮＢＣろ過システム状態を切り換えるための前記手段が、切換弁である、請求項１に記載の床面積節約型ＮＢＣろ過システム。
【請求項３】
前記切換弁状態を切り換えるための状態セレクタハンドルをさらに備える、請求項２に記載の床面積節約型ＮＢＣろ過システム。
【請求項４】
停電時の操作のための手動空気交換バックアップをさらに備える、請求項１に記載の床面積節約型ＮＢＣろ過システム。
【請求項５】
前記シェルター居住者の前記快適な範囲内の位置からの、前記手動空気交換バックアップの操作のための人力インタフェースをさらに備える、請求項４に記載の床面積節約型ＮＢＣろ過システム。
【請求項６】
前記人力インタフェースが、手廻しクランクと足踏みペダルとの間で選択される、請求項５に記載の床面積節約型ＮＢＣろ過システム。
【請求項７】
前記ＮＢＣろ過システムを収容する前記空間が、平均的な人の高さより高い位置に配置される、請求項１に記載の床面積節約型ＮＢＣろ過システム。
【請求項８】
前記ＮＢＣろ過システムを収容する前記空間が、分割壁の背後に配置される、請求項１に記載の床面積節約型ＮＢＣろ過システム。
【請求項９】
前記ＮＢＣろ過システムを収容する前記空間が、安全な機器区画に配置される、請求項１に記載の床面積節約型ＮＢＣろ過システム。
【請求項１０】
前記切換弁状態を切り換えるための前記状態セレクタハンドルが、平均的な身長の人の腕の高さに配置される、請求項３に記載の床面積節約型ＮＢＣろ過システム。
【請求項１１】
前記ＮＢＣろ過システムを収容する前記空間が、平均的な人の高さより高い位置に配置され、前記人力インタフェースが前記手動空気交換バックアップに取り付けられ、前記手動空気交換バックアップが、停電の場合に前記人力インタフェースにアクセスするために、垂直下方に移動可能である、請求項５に記載の床面積節約型ＮＢＣろ過システム。
【請求項１２】
前記ＮＢＣろ過システムを収容する前記空間が、平均的な人の高さより高い位置に配置され、前記人力インタフェースが前記手動空気交換バックアップに取り付けられ、前記手動空気交換バックアップが前記ＮＢＣフィルタユニットに取り付けられ、前記ＮＢＣフィルタユニットが、停電の場合に前記人力インタフェースにアクセスするために、垂直下方に移動可能である、請求項５に記載の床面積節約型ＮＢＣろ過システム。
【請求項１３】
前記手動空気交換バックアップが、平均的な人の高さより高い位置に配置され、ドライブベルト、チェーン、駆動軸及び歯車、往復アームリンク機構、又は、前記列挙された選択肢の任意の組合せのリストから選択される機械的動力伝達手段を通して、平均的な身長の人による使用に適切な高さに配置される前記人力インタフェースによって遠隔で動かされる、請求項５に記載の床面積節約型ＮＢＣろ過システム。
【請求項１４】
通常時、前記ＮＢＣろ過システムのための床面積を必要としない、請求項１に記載の床面積節約型ＮＢＣろ過システム。
【請求項１５】
床面積が、前記手動空気交換バックアップの前記人力インタフェースの操作のために、停電時のみ必要である、請求項５に記載の床面積節約型ＮＢＣろ過システム。
【請求項１６】
前記手動空気交換バックアップが、前記人力インタフェースによって手動で回転する入力軸と、前記電動送風機を回転させるように係合される出力軸とを有する増速歯車を備える、請求項５に記載の床面積節約型ＮＢＣろ過システム。
【請求項１７】
前記手動空気交換バックアップが、前記電動送風機のための電力を生成するために、前記人力インタフェースによって手動で回転する発電機を備える、請求項５に記載の床面積節約型ＮＢＣろ過システム。
【請求項１８】
共同防護シェルターのための空間節約型ＮＢＣろ過システムであって、少なくとも１つの前置フィルタと、微粒子フィルタと吸着フィルタとを含むＮＢＣフィルタユニットと、切換弁と、電動送風機と、人力インタフェースによって操作される手動空気交換バックアップと、を備え、前記ＮＢＣろ過システムが、通常時又は従来の災害時には換気モードで、及び、ＮＢＣ災害時にはＮＢＣ防護モードで機能し、前記前置フィルタが換気モード及びＮＢＣ防護モードの両方で使用され、一方、前記ＮＢＣフィルタユニットがＮＢＣ防護モードでのみ使用され、前記切換弁が、ＮＢＣ防護災害時、前記ＮＢＣフィルタユニットを通る空気の向きを変えるために切り換えられ、前記ＮＢＣフィルタユニット入口及び出口が互いに非常に近接して配置され、前記前置フィルタ出口が前記ＮＢＣフィルタユニット入口及び出口に近接して配置され、前記切換弁がその間に配置され、結果として、先行技術の場所をとる可撓管に取って代わる前記切換弁により、簡単な操作及び空間の節約がもたらされる、空間節約型ＮＢＣろ過システム。
【請求項１９】
手動空気交換バックアップを有する前記電動送風機が、前記切換弁の一次出口から空気を吸い込むための小型曲りダクトを有する前記ＮＢＣフィルタユニットに取り付けられる、請求項１８に記載の空間節約型ＮＢＣろ過システム。
【請求項２０】
前記ＮＢＣフィルタユニットが、前記前置フィルタの下で垂直に設置される、細長い形状であり、手動空気交換バックアップを有する前記電動送風機が、平均的な身長の人による前記人力インタフェースの操作に適切な高さに配置される前記ＮＢＣフィルタユニットに取り付けられる、請求項１９に記載の空間節約型ＮＢＣろ過システム。
【請求項２１】
前記切換弁が、前記前置フィルタ出口と流れ連通する一次入口と、前記ＮＢＣフィルタユニット入口と流れ連通する二次出口と、前記ＮＢＣフィルタユニット出口と流れ連通する二次入口と、前記電動送風機の吸込口と流れ連通する一次出口とを備える、請求項１８に記載の空間節約型ＮＢＣろ過システム。
【請求項２２】
前記一次入口及び前記一次出口が内部で接続されたバイパス状態から、前記一次入口が前記二次出口と内部で接続され、前記一次出口が前記二次入口と内部で接続されたＮＢＣろ過状態に前記フラップ位置を変えるために、前記切換弁が、単一の状態セレクタハンドルによって同時に切り換えられる２つのばね付勢フラップを備える、請求項２１に記載の空間節約型ＮＢＣろ過システム。
【請求項２３】
前記バイパス状態位置において、前記フラップが、ガス、水分、及び粒子の侵入に対する前記ＮＢＣフィルタユニットの防護のための適切な密封性を有するエラストマーシールに対して押圧される、請求項２２に記載の空間節約型ＮＢＣろ過システム。
【発明の詳細な説明】
【技術分野】
【０００１】
本発明は、共同防護シェルターのための空間及び床面積節約型核生物化学（ＮＢＣ）ろ過システムに関し、より詳細には、居住定員が２０〜１５０人である共同防護シェルターのための空間及び床面積節約型ＮＢＣろ過システムに関する。
【背景技術】
【０００２】
イスラエルでは、オフィスビル、ショッピングモール、工業施設、娯楽施設などの公共建造物は、緊急時に使用するためのＮＢＣ防護空間を保持しなければならない。防護空間は、通常時は、他の定期的な目的のために使用してもよい。一般的な利用法は、重い家具を必要とせず、緊急事態の際、素早く片づけることができる会議室である。そのような建物における床面積の平方メートルあたりの高い費用のことからも、ＮＢＣろ過システムは最小限の空間を占めることが望ましい。大きな共同防護シェルターのための、現在利用可能なＮＢＣろ過システムは、能力によって、１．５〜４平方メートルの床面積を占めることがあり、それらの外観は魅力的でない。通常、現在のＮＢＣろ過システムは、外観を改善して、汚損を回避するために、薄手の壁又はカーテンの背後に隠され、それにより、さらに多くの空間を消費する。
【０００３】
そのような公共のＮＢＣろ過システムは、前置フィルタと、微粒子フィルタ及び吸着フィルタから構成されるＮＢＣフィルタユニットと、一定量の空気交換に適切な電動送風機とを含まなければならないことが規則では示されている。さらにまた、ＮＢＣろ過システムは、停電の場合の手操作のための手廻しクランクなどの、人力インタフェースによって操作される手動空気交換バックアップを有しなければならない。通常、手動空気交換バックアップは、手廻しクランクによって手動で回転する入力軸と、電動送風機を回転させるように係合される出力軸とを有する増速歯車を含む。手廻しクランクは、通常時は、空間を解放するために取り外し可能でもよい、しかしながら、ＮＢＣ災害及び停電時に、手廻しクランクを都合よく作動させるために、システム全体が手の届く場所に見えるように用意されていなければならない。
【０００４】
さらに、通常時又は従来の災害時に有効な換気モードと、ＮＢＣ災害時に有効なＮＢＣ防護モードとの間でＮＢＣろ過システム状態を切り換える必要がある。現在利用可能なシステムは、ＮＢＣ警報の間のみ使用されるＮＢＣフィルタユニットに対する、可撓管の取り外し及び再接続を必要とする。可撓管は場所をとり、それ以外の場合には商業目的のために使用される可能性がある手の届く場所に見えるように用意されていなければならない。さらにまた、ストレス下で可撓管を再接続することは、平均的な使用者には難しいことがある。共同シェルターのための現在利用可能なＮＢＣろ過システムの例は、本出願人に対するイスラエル特許出願第２３５１５１号で見出すことができる。
【０００５】
共同ろ過システムによって消費される空間を低減するために、独国特許第３４０３１９７号は、回転し、２つの位置（換気のための第１の位置及びろ過のための第２の位置）のうちの１つと適合することができる内部バイパスを有し、それにより、可撓管を除去するＮＢＣフィルタを説明している。しかしながら、提案された内部換気バイパスはまったくろ過を行わないが、大きなＮＢＣろ過システムでは、換気モードが少なくとも１つの前置フィルタを含むことが望ましい。さらに、比較的大きく重いフィルタを取り外し、上下反対に回転させて、再び取り付ける作業をストレス下で実行することは、平均的な使用者には難しいことがある。
【０００６】
本出願人に対するイスラエル特許出願第２１４５７７号は、単一の操作のみで換気モードからＮＢＣろ過モードに切り換えることができる、ＮＢＣ空気ろ過システム内の双方向切換弁を説明している。切換弁は、その上に取り付けられる手動状態セレクタハンドルを有し、それにより、操作はより容易であるが、さらに、システム全体が手の届く場所に見えるように用意されていなければならない。
【０００７】
さらに、切換弁は、換気モードがまったくろ過を行わない小さいシステムのために設計されたが、上記のように、大きなＮＢＣろ過システムでは、換気モードが少なくとも１つの前置フィルタを含むことが望ましい。
【発明の概要】
【０００８】
よって、先行技術システムの欠点及び制限を克服し、床面積節約型及び一般的な空間節約型の、設置種類及び能力によって最大２平方メートルの床面積を占める、操作しやすい共同防護シェルターのためのＮＢＣろ過システムを提供することが、本発明の主目的である。提供されるシステムは、より良好な外観も特徴とする。
【０００９】
これらの及び他の主題は、少なくとも１つのＮＢＣフィルタユニットと、電動送風機と、通常時又は従来の災害時に有効な換気モードとＮＢＣ災害時に有効なＮＢＣ防護モードとの間でＮＢＣろ過システム状態を切り換えるための手段とを備える、共同防護シェルターのための床面積節約型ＮＢＣろ過システムを提供することにより、本発明によって実現される。本発明によると、ＮＢＣろ過システムは、シェルター居住者の快適な範囲から外れた空間に収容され、それにより、使用可能な床面積を節約する。一方、ＮＢＣろ過システム状態を切り換えるための手段は、シェルター居住者の快適な範囲内の位置から操作される。
【００１０】
ＮＢＣろ過システムは、停電時の操作のための、手廻しクランク又は足踏みペダルなどの人力インタフェースを含む、手動空気交換バックアップをさらに備えてもよい。人力インタフェースは、シェルター居住者の快適な範囲内の位置から操作される。
【００１１】
任意選択的に、共同防護シェルターのための空間節約型ＮＢＣろ過システムは、少なくとも１つの前置フィルタと、微粒子フィルタと吸着フィルタとを含むＮＢＣフィルタユニットと、切換弁と、電動送風機と、人力インタフェースによって操作される手動空気交換バックアップとを備える。ＮＢＣろ過システムは、通常時又は従来の災害時には換気モードで、及び、ＮＢＣ災害時にはＮＢＣ防護モードで機能する。前置フィルタは換気モード及びＮＢＣ防護モードの両方で使用され、一方、ＮＢＣフィルタユニットはＮＢＣ防護モードでのみ使用される。切換弁は、ＮＢＣ防護災害時、ＮＢＣフィルタユニットを通る空気の向きを変えるために切り換えられる。本発明によると、ＮＢＣフィルタユニット入口及び出口は互いに非常に近接して配置され、前置フィルタ出口はＮＢＣフィルタユニット入口及び出口に近接して配置され、切換弁はその間に配置される。結果として、先行技術の場所をとる可撓管に取って代わる切換弁により、簡単な操作及び空間の節約がもたらされる。
【００１２】
本発明、及び本発明を実際に実行することができる方法は、非限定的な例としてのみ、以下の説明のための図を参照して理解され、同様の参照番号は同様の要素を示す。
【図面の簡単な説明】
【００１３】
【図１ａ】本発明の実施形態によって作られるＮＢＣろ過システムの斜視図であり、システムは垂直に取り付けられている。
【図１ｂ】本発明の実施形態によって作られるＮＢＣろ過システムの斜視図であり、システムは垂直に取り付けられている。
【図２】本発明の実施形態によって作られるＮＢＣろ過システムの斜視図であり、システムは、電動送風機及び手動空気交換バックアップ以外は、平均的な人の高さより高い位置に水平に取り付けられている。
【図３】図２の線Ａ−Ａに沿ってとられたＮＢＣフィルタユニット及び切換弁を通る縦断面図である。
【図４ａ】本発明の実施形態によって作られるＮＢＣろ過システムの斜視図であり、システム全体は平均的な人の高さより高い位置に取り付けられているが、その上に取り付けられる電動送風機及び手動空気交換バックアップを含むＮＢＣフィルタユニットは、いくつかの機構を使用して低くすることができる。
【図４ｂ】本発明の実施形態によって作られるＮＢＣろ過システムの斜視図であり、システム全体は平均的な人の高さより高い位置に取り付けられているが、その上に取り付けられる電動送風機及び手動空気交換バックアップを含むＮＢＣフィルタユニットは、いくつかの機構を使用して低くすることができる。
【図５ａ】本発明の実施形態によって作られるＮＢＣろ過システムの斜視図であり、手動空気交換バックアップは遠隔で動かされる。
【図５ｂ】本発明の実施形態によって作られるＮＢＣろ過システムの斜視図であり、手動空気交換バックアップは遠隔で動かされる。
【図５ｃ】本発明の実施形態によって作られるＮＢＣろ過システムの斜視図であり、手動空気交換バックアップは遠隔で動かされる。
【図６ａ】本発明の実施形態によって作られるＮＢＣろ過システムの斜視図であり、システム全体は平均的な人の高さより高い位置に取り付けられ、システム状態は、折り曲げ可能なスツールを用いた可撓管の再接続によって設定される。
【図６ｂ】本発明の実施形態によって作られるＮＢＣろ過システムの斜視図であり、システム全体は平均的な人の高さより高い位置に取り付けられ、システム状態は、折り曲げ可能なスツールを用いた可撓管の再接続によって設定される。
【発明を実施するための形態】
【００１４】
図面に関して、実施形態のそれぞれの背後に示される破線は、共同防護シェルターの壁の隅部を示す。本発明の１つの実施形態によると、共同防護シェルターのための、全体が１０で示された、空間及び床面積節約型ＮＢＣろ過システムが図１ａに示されている。ＮＢＣろ過システムは、任意選択の前置フィルタ１２と、通常は微粒子フィルタ（図３の１１）と吸着フィルタ（図３の１３）とを含むＮＢＣフィルタユニット１４と、電動送風機１５と、任意選択の手動空気交換バックアップ１７とを備える。手動空気交換バックアップ１７は、停電時に電動送風機１５を動かすために、取り外し可能な手廻しクランク２４又は足踏みペダル（図示せず）などの人力インタフェースを使用して操作される。通常時又は従来の災害時に有効な換気モードと、ＮＢＣ災害時に有効なＮＢＣ防護モードとの間でＮＢＣろ過システム１０状態を切り換えるための、切換弁２６などの手段が設けられる。前置フィルタ１２は換気モード及びＮＢＣ防護モードの両方で使用され、一方、ＮＢＣフィルタユニット１４はＮＢＣ防護モードでのみ使用される。切換弁２６などのＮＢＣろ過システム１０状態を切り換えるための手段は、以下で説明されるように、ＮＢＣ防護災害時、ＮＢＣフィルタユニットを通る空気の向きを変えるために、状態セレクタハンドル２８によって切り換えられる。
【００１５】
図１ａに示されるように、電動送風機１５は、（部分的に示された）可撓管３２によって、切換弁２６と空気流連通する独立したユニットとして構成される。同じ主要なシステム構成が図１ｂにも示される、しかしながら、図１ｂの電動送風機１６は、ＮＢＣフィルタユニット１４に固定的に取り付けられた小型構成要素として構成されている。電動送風機１６は、小型の堅固な曲りダクト３４を通して、切換弁２６と空気流連通する。ＮＢＣろ過システムの前方の図１ｂの破線は、ＮＢＣろ過システムを視覚的に隠し、さらに、分割壁を除去することなく操作を可能にする分割壁を表す。
【００１６】
さらに、図１ｂを参照すると、空間及び床面積の減少は、当該技術分野において知られている、壁に埋め込まれた通気管（図示せず）にフランジ４０によって取り付けられた前置フィルタ１２の下で垂直に設置される、好ましくは細長いＮＢＣフィルタユニット１４によって実現される。手動空気交換バックアップ１８を有する電動送風機１６は、平均的な身長の人による使用に適切な高さに配置されるＮＢＣフィルタユニット１４に取り付けられ、それにより、取り付けられた人力インタフェース、たとえば、手廻しクランク２４は、さらなる調整なしに、停電時、容易に使用することができる。垂直に設置されたときのＮＢＣフィルタユニット１４の細長い直方体形状の小さい断面のために、利用される床面積利用は非常に小さい。図１ｂの構成においてシステムによって消費される床面積は、約０．５平方メートルである。
【００１７】
任意選択的に、図１ｂ及び図２を参照すると、ＮＢＣろ過システム１０は、シェルター居住者の快適な範囲から外れた空間に収容されてもよく、それにより、使用可能な床面積を節約する。ＮＢＣの非常事態の際の容易な操作のために、ＮＢＣろ過システム状態を切り換えるための手段は、シェルター居住者の快適な範囲内の位置から遠隔で操作される。たとえば、ＮＢＣろ過システム１０を収容する空間は、図２に示される平均的な人の高さより高い位置に配置されてもよく、図１ｂの破線で示されるような分割壁の背後に配置されてもよく、又は、密封された安全な機器区画に閉じ込められてもよい。
【００１８】
ＮＢＣろ過システム状態を切り換えるための手段は好ましくは、切換弁２６である、しかしながら、可撓管ねじり機構、又はＮＢＣフィルタユニットの再配置などの他の手段も可能であり、図６ａ及び図６ｂに関して以下で説明されるように、本発明の範囲に属する。
【００１９】
切換弁２６の状態セレクタハンドル２８は、シェルター居住者の快適な範囲内の位置からの上記のような切換弁状態の遠隔切換のために、図１ｂに示される分割壁の前、又は、図２に示される平均的な身長の人の腕の高さなどまで延ばされてもよい。
【００２０】
図２を参照すると、前置フィルタ１２の形状は円筒形であり、共同防護シェルターの外部コンクリート壁に埋め込まれた通気管にフランジ４０によって固定される。ＮＢＣフィルタユニット１４は、好ましくは、しかし必ずしもそうではないが、細長い直方体形状を受け入れ、通気管の高さで水平に構成される。通気管及びフランジ４０は、平均的な人の高さよりも高い位置に配置されてもよく、それにより、前置フィルタ１２及びＮＢＣフィルタユニット１４の下の空間は、日常的な使用に利用可能である。
【００２１】
たとえ、何かの理由で、通気管が平均的な人の高さより低い位置に配置される場合でも、さらに、他のシステム部品は、高さアダプタ管（図示せず）を設けることによって、平均的な人の高さより上に配置されてもよい。
【００２２】
上記の手動空気交換バックアップ１８は、停電時に電動送風機１６が有効でないとき、新鮮な空気をシェルターに押し込むためのものである。図２に示されるように、手動空気交換バックアップは、手廻しクランク２４などの人力インタフェースによって操作される。ＮＢＣろ過システムは、平均的な人の高さより高い位置、又は、分割壁の背後に配置されてもよいが、手廻しクランク２４などの人力インタフェースは、平均的な身長の人による使用に適切な高さの到達可能位置などの、シェルター居住者の快適な範囲内の位置から操作される。図２に示される選択肢によって、空気交換バックアップ１８及び手廻しクランク２４などの人力インタフェースを有する電動送風機１６は、平均的な身長の人による使用に適切な高さで、ＮＢＣフィルタユニット１４の下に固定的に配置される。可撓管４２は、電動送風機１６と切換弁２６との間の空気流を可能にする。
【００２３】
さらに、図２を参照すると、ＮＢＣろ過システム１０が平均的な人の高さより高い位置に組み立てられるとき、切換弁２６は、平均的な身長の人の腕の高さがほぼ到達可能な位置に配置される機械的又は電気的手段によって手動で切り換えられる。図２に示されるように、機械的手段は、切換弁２６に連結される延長軸４４の端部に取り付けられる回転有能なノブ又は状態セレクタハンドル２８である。機械的又は電気的手段は多くの異なるリンク機構システムを認めてもよく、それらはすべてが本発明の範囲に属することが理解されよう。
【００２４】
図３を参照すると、図２の線Ａ−Ａに沿ってとられた、ＮＢＣフィルタユニット１４及び切換弁２６を通る断面が示されており、空気流路及び切換弁方向フラップ７２を示す。本発明の１つの態様を実現するために、ＮＢＣフィルタユニット１４は好ましくは、細長い直方体形状を受け入れ、入口５２及び出口５４はその両方が、互いに非常に近接してＮＢＣフィルタユニット１４の一端に配置され、前置フィルタ出口５６は、ＮＢＣフィルタユニット入口５２及び出口５４に近接して配置され、切換弁２６はその間に配置され、結果として、状態セレクタハンドル（図２の２８）による切換弁２６の簡単な操作、及び、先行技術の場所をとる交換可能な可撓管に取って代わる切換弁による空間の節約がもたらされる。
【００２５】
切換弁２６は好ましくは、断面が四角形であり、それぞれ、貫通路７４を有する斜壁４９によって分離される、第１及び第２の角柱状容積５７、５９を備える。切換弁２６は、可撓管６１によって前置フィルタ出口５６と流れ連通する一次入口６０と、ＮＢＣフィルタユニット入口５２と流れ連通する二次出口５３と、ＮＢＣフィルタユニット出口５４と流れ連通する二次入口５５と、可撓管４２又は曲りダクト３４（図１ｂ）によって電動送風機１６の吸込口と流れ連通する一次出口５８とをさらに備える。切換弁は、単一の状態セレクタハンドル２８（図１ａ及び図２）によって同時に切り換えられる２つのばね付勢フラップ７２をさらに備え、一次入口６０及び一次出口５８が流路７４を通して内部で接続された、図３に示されるようなバイパス状態から、一次入口６０が第１の角柱状容積５７を通して二次出口５３と内部で接続され、一次出口５８が第２の角柱状容積５９を通して二次入口５５と内部で接続され、流路７４がフラップ７２によって遮断された、ＮＢＣろ過状態に位置が変わる。
【００２６】
通常時及び従来の災害時さえ、フラップ７２の初期位置はバイパス状態であり、フラップは、ＮＢＣフィルタユニット１４の入口５２及び出口５４のまわりに配置されたエラストマーシール７８に対して押圧されている。シール７８は、ガス、水分、及び粒子の侵入に対するＮＢＣフィルタユニットの防護のための適切な密封性を有する。ＮＢＣ災害時、切換弁状態は、フラップ７２が流路７４のまわりでエラストマーシール７８に対して押圧されるように切り換えられ、それにより、バイパス経路は閉じられ、空気は、電動送風機１６によって、ＮＢＣフィルタユニット１４の入口５２から、微粒子フィルタ１１及び吸着フィルタ１３を通して、ＮＢＣフィルタユニット１４の出口５４の方に押し戻される。
【００２７】
図４ａ及び図４ｂを参照すると、手動空気交換バックアップ１８及びその上に取り付けられた手廻しクランク２４などの人力インタフェースを有する電動送風機１６が、ＮＢＣフィルタユニット１４に取り付けられ、切換弁２６の一次出口５８（図３）から空気を吸い込むための小型曲りダクト３４を有する。ＮＢＣろ過システム１０が平均的な人の高さよりの高い位置に組み立てられるとき、手動空気交換バックアップ１８及びその上に取り付けられた手廻しクランク２４などの人力インタフェースを有するその上に取り付けられた電動送風機１６を含むＮＢＣフィルタユニット１４は、停電の場合に手廻しクランク２４などの人力インタフェースにアクセスするために、垂直下方に移動可能であってもよい。移動機構は、シザーリフト機構８２（図４ａ）、垂直レール８４及びその上で移動可能なグライダー（図４ｂ）、スイベルアーム（図示せず）、又は、任意の他の機構を含んでもよい。空気流路の連続性を完全なものにするために、可撓性延長管８５が、前置フィルタ１２の出口５６と切換弁２６の一次入口６０との間に取り付けられる。
【００２８】
図４ａに示されるように、シザーリフト機構８２には、望ましい高さに手動で移動させる間、ＮＢＣフィルタユニット１４及び取り付けられた構成要素の重量のバランスをとるために、ガススプリングシリンダ８６又は普通のばねが設けられてもよい。任意選択的に、シザーリフト機構８２、さらに、図４ｂに示されるレール８４機構に関して、ＮＢＣフィルタユニットは、鋼線ロープの他端に懸架されたカウンターウェイトを有する、定滑車のまわりで湾曲した鋼線ロープと結ばれてもよい。望ましい高さでシステムを係止するために、係止機構が設けられてもよい。
【００２９】
同様に、ＮＢＣろ過システム１０全体が平均的な人の高さよりの高い位置に組み立てられるとき、手動空気交換バックアップ１８及びその上に取り付けられた手廻しクランク２４などの人力インタフェースを有する電動送風機１６のみが、停電の場合に手廻しクランク２４などの人力インタフェースにアクセスするために、垂直下方に移動可能であってもよいことが理解されよう。移動機構は、図４ａ及び図４ｂに関して上で言及されたのと同じ選択肢を採用してもよい。
【００３０】
手動空気交換バックアップが平均的な人の高さより高い位置に配置されたＮＢＣろ過システムを操作するさらに別の選択肢が図５ａ〜図５ｃに示され、ここで、手廻しクランク９４又は２４（図５ｃ）又は足踏みペダル（図示せず）などの人力インタフェースは、手が届かないＮＢＣろ過システムに、機械的又は電気的に遠隔に連結されている。図５ａ及び図５ｂに示されるように、手動空気交換バックアップは、平均的な身長の人による使用に適切な高さに独立したユニットとして配置された任意選択の二重クランク手廻しクランク９４によって、遠隔で動かされる。手廻しクランク９４は、使用中、手廻しクランク９４をしっかりと保持するために、一方側では壁に支持され、任意選択的に、他方側では取り外し可能な床スタンド９２で支持される。任意選択的に、手廻しクランク９４は、床スタンド９２を必要としないように、適切な耐荷重の軸受のみ使用して壁に取り付けられる可能性がある。動力は、図５ａに示されるように、手廻しクランク９４及び電動送風機１６の軸上に取り付けられたプーリ又はスプロケット９８とともに、ドライブベルト又はチェーン９６などの機械的動力伝達手段を通して伝達される。
【００３１】
図５ｂに示される別の機械的リンクの選択肢は、駆動軸９５、並びに、手廻しクランク９４及び駆動軸９５の下端の端部とともに駆動軸９５の上端及び電動送風機軸（図示せず）に取り付けられた傘歯車９９の対である。列挙した選択肢又は他の機械的手段の任意の組合せを使用することができ、すべてが本発明の範囲に属することが理解されよう。さらに別の機械的リンクの選択肢は、往復アームリンク機構（図示せず）である。
【００３２】
通常、手動空気交換バックアップ１８は、手廻しクランク２４又は足踏みペダル（図示せず）などの人力インタフェースによって手動で回転する入力軸と、電動送風機を回転させるように係合される出力軸とを有する増速歯車を含む。任意選択的に、図５ｃに示されるように、発電機６９が手動空気交換バックアップとして機能してもよく、増速歯車にとって代わってもよい。発電機６９は、平均的な身長の人による使用に適切な高さでシェルター壁に固定され、手廻しクランク２４又は足踏みペダル（図示せず）などの人力インタフェースによって操作されて、ケーブル７０で電動送風機１６に伝送される電力を生成する。発電機を使用する利点は、増速歯車の除去、及び、シェルター居住者の快適な範囲内の位置からワイヤケーブルのみを使用して発電機を遠隔で動かすことの容易さであり、一方、ＮＢＣろ過システムは、シェルター居住者の快適な範囲から外れた、たとえば、平均的な人の高さより高い空間に収容される。
【００３３】
図４ａ〜図５ｃに関して説明された上記の選択肢において、ＮＢＣフィルタユニットは好ましくは、通気管の高さで水平に配置される細長い直方体形状を受け入れ、それにより、通気管が平均的な人の高さより上に取り付けられるとき、又は、高さアダプタ管が上記のように設けられるとき、ＮＢＣろ過システム全体が平均的な人の高さより上に配置される。よって、ＮＢＣろ過システム１０全体の下の空間は、通常時の日常的な使用に利用可能である。それらの開示された実施形態については、実際に、通常時は、ＮＢＣろ過システムのための床面積を必要としないことが理解されよう。床面積は、上で説明された方法のうちの１つを使用する、手動空気交換バックアップ１８又は６９の手廻しクランク９４若しくは２４又は足踏みペダル（図示せず）などの人力インタフェースの操作のために、停電時のみ必要である。取り外し可能な床スタンド９２（図５ａ及び図５ｂ）は、通常時は取り外して、非常用専用空間に保管されてもよい。
【００３４】
上記のように、ＮＢＣろ過システム状態を切り換えるための手段は好ましくは、切換弁２６である、しかしながら、他の手段も可能であり、本発明の範囲に属する。たとえば、図６ａ及び図６ｂは、切換弁がなく、平均的な人の高さより高い位置に配置されるＮＢＣろ過システムを示す。２本の接続可能な可撓管６２、６４が設けられ、通常時又は従来の災害時は互いに接続され（図６ａ）、それにより、空気は、前置フィルタ１２から直接、シェルター空間に、電動送風機１６によって吸い込まれる。ＮＢＣ災害時、シェルター居住者は、その上に立つために、固定された又は折り曲げ可能なスツール６６を使用して、図６ｂに示されるように、管６２がＮＢＣフィルタユニット１４の出口５８（図３）に接続され、管６４がＮＢＣフィルタユニット１４の入口６０（図３）に接続されるように、可撓管の向きを変えてもよい。
【００３５】
上で説明されて、添付図面に示される本発明の特定の実施形態は、単に例示のためだけに示されていることが理解されるであろう。本発明の他の変形、修正、及び応用を、当業者は容易に思いつくであろう。したがって、すべてのそのような変形が本発明の範囲及び精神内と考えられることが明らかになった。よって、本明細書で求められる防護は、以下の特許請求の範囲に記載される。
【図１ａ】
2019525115.tif 000003
【図１ｂ】
2019525115.tif 000004
【図２】
2019525115.tif 000005
【図３】
2019525115.tif 000006
【図４ａ】
2019525115.tif 000007
【図４ｂ】
2019525115.tif 000008
【図５ａ】
2019525115.tif 000009
【図５ｂ】
2019525115.tif 000010
【図５ｃ】
2019525115.tif 000011
【図６ａ】
2019525115.tif 000012
【図６ｂ】
2019525115.tif 000013
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
共同防護シェルターのための床面積節約型ＮＢＣろ過システムであって、ＮＢＣフィルタユニットと、電動送風機と、通常時又は従来の災害時に有効な換気モードとＮＢＣ災害時に有効なＮＢＣ防護モードとの間でＮＢＣろ過システム状態を切り換えるように構成された切換弁と、を備え、前記ＮＢＣろ過システムが、シェルター居住者の快適な範囲から外れた空間に固定的に収容され、それにより、使用可能な床面積を節約し、前記ＮＢＣろ過システム状態を切り換えるための前記切換弁が、前記シェルター居住者の前記快適な範囲内の位置から操作される、床面積節約型ＮＢＣろ過システム。
【請求項２】
前記切換弁状態を切り換えるための状態セレクタハンドルをさらに備える、請求項１に記載の床面積節約型ＮＢＣろ過システム。
【請求項３】
停電時の操作のための手動空気交換バックアップをさらに備える、請求項１に記載の床面積節約型ＮＢＣろ過システム。
【請求項４】
前記シェルター居住者の前記快適な範囲内の位置からの、前記手動空気交換バックアップの操作のための人力インタフェースをさらに備える、請求項３に記載の床面積節約型ＮＢＣろ過システム。
【請求項５】
前記人力インタフェースが、手廻しクランクと足踏みペダルとの間で選択される、請求項４に記載の床面積節約型ＮＢＣろ過システム。
【請求項６】
前記ＮＢＣろ過システムを収容する前記空間が、平均的な人の高さより高い位置に配置される、請求項１に記載の床面積節約型ＮＢＣろ過システム。
【請求項７】
前記ＮＢＣろ過システムを収容する前記空間が、分割壁の背後に配置される、請求項１に記載の床面積節約型ＮＢＣろ過システム。
【請求項８】
前記ＮＢＣろ過システムを収容する前記空間が、安全な機器区画に配置される、請求項１に記載の床面積節約型ＮＢＣろ過システム。
【請求項９】
前記切換弁状態を切り換えるための前記状態セレクタハンドルが、平均的な身長の人の腕の高さに配置される、請求項２に記載の床面積節約型ＮＢＣろ過システム。
【請求項１０】
前記ＮＢＣろ過システムを収容する前記空間が、平均的な人の高さより高い位置に配置され、前記人力インタフェースが前記手動空気交換バックアップに着脱可能に取り付けられ、前記手動空気交換バックアップが、停電の場合に前記人力インタフェースにアクセスするために、垂直下方に移動可能である、請求項４に記載の床面積節約型ＮＢＣろ過システム。
【請求項１１】
前記手動空気交換バックアップが、シザーリフト機構、垂直レール及びその上で移動可能なグライダー、並びに、スイベルアームからなる群から選択される移動機構によって、垂直下方に移動可能である、請求項１０に記載の床面積節約型ＮＢＣろ過システム。
【請求項１２】
前記手動空気交換バックアップが、平均的な人の高さより高い位置に配置され、ドライブベルト、チェーン、駆動軸及び歯車、往復アームリンク機構、又は、前記列挙された選択肢の任意の組合せからなる群から選択される機械的動力伝達を通して、平均的な身長の人による使用に適切な高さに配置される前記人力インタフェースによって遠隔で動かされる、請求項４に記載の床面積節約型ＮＢＣろ過システム。
【請求項１３】
前記人力インタフェースが、取り外し可能であり、通常時は取り外されて保管され、それにより、通常時、前記ＮＢＣろ過システムのための床面積を必要としない、請求項４に記載の床面積節約型ＮＢＣろ過システム。
【請求項１４】
床面積が、前記手動空気交換バックアップの前記人力インタフェースの操作のために、停電時のみ必要である、請求項１３に記載の床面積節約型ＮＢＣろ過システム。
【請求項１５】
前記手動空気交換バックアップが、前記人力インタフェースによって手動で回転する入力軸と、前記電動送風機を回転させるように係合される出力軸とを有する増速歯車を備える、請求項４に記載の床面積節約型ＮＢＣろ過システム。
【請求項１６】
前記手動空気交換バックアップが、前記電動送風機のための電力を生成するために、前記人力インタフェースによって手動で回転する発電機を備える、請求項４に記載の床面積節約型ＮＢＣろ過システム。
【請求項１７】
共同防護シェルターのための床面積節約型ＮＢＣろ過システムであって、ＮＢＣフィルタユニットと、電動送風機と、手動空気交換バックアップと、通常時又は従来の災害時に有効な換気モードとＮＢＣ災害時に有効なＮＢＣ防護モードとの間でＮＢＣろ過システム状態を切り換えるために構成される接続可能な可撓管と、を備え、前記ＮＢＣろ過システムが、シェルター居住者の快適な範囲から外れた空間に固定的に収容され、それにより、使用可能な床面積を節約し、前記手動空気交換バックアップが、前記シェルター居住者の前記快適な範囲内の位置から、別個の手廻しクランク及び機械式動力伝達装置を使用して、遠隔で操作される、床面積節約型ＮＢＣろ過システム。
【請求項１８】
前記手廻しクランクが、使用中、前記手廻しクランクをしっかりと保持するために、一端では前記シェルターの壁に支持され、他端では取り外し可能な床スタンドで支持される、請求項１７に記載の床面積節約型ＮＢＣろ過システム。
【請求項１９】
前記手廻しクランクが、適切な耐荷重の軸受を使用して、一端のみで前記シェルターの壁に取り付けられる、請求項１７に記載の床面積節約型ＮＢＣろ過システム。
【請求項２０】
前記動力伝達が、プーリを有するベルト駆動、スプロケットを有するチェーン駆動、傘歯車による駆動軸、及び、前記列挙された選択肢の任意の組合せからなる群から選択される、請求項１７に記載の床面積節約型ＮＢＣろ過システム。
【請求項２１】
前記ＮＢＣろ過システムを収容する前記空間が、平均的な人の高さより高い位置に配置され、前記手廻しクランクが、平均的な身長の人による使用に適切な高さに配置される、請求項１７に記載の床面積節約型ＮＢＣろ過システム。
【請求項２２】
前記手廻しクランクが、取り外し可能であり、通常時は取り外して保管できる、請求項１７に記載の床面積節約型ＮＢＣろ過システム。
【請求項２３】
共同防護シェルターのための空間節約型ＮＢＣろ過システムであって、前置フィルタと、微粒子フィルタと吸着フィルタとを含むＮＢＣフィルタユニットと、切換弁と、電動送風機と、シェルター居住者の快適な範囲内の位置から人力インタフェースによって操作されるように構成された手動空気交換バックアップと、を備え、前記ＮＢＣろ過システムが、通常時又は従来の災害時には換気モードで、及び、ＮＢＣ災害時にはＮＢＣ防護モードで機能し、前記前置フィルタが換気モード及びＮＢＣ防護モードの両方で使用され、一方、前記ＮＢＣフィルタユニットがＮＢＣ防護モードでのみ使用され、前記切換弁が、ＮＢＣ防護災害時、前記ＮＢＣフィルタユニットを通る空気の向きを変えるために切り換えられ、前記ＮＢＣフィルタユニットの入口及び出口が互いに近接して配置され、前記前置フィルタの出口が前記ＮＢＣフィルタユニットの前記入口及び出口に近接して配置され、前記切換弁がその間に配置され、結果として、場所をとる可撓管に取って代わる前記切換弁により、簡単な操作及び空間の節約がもたらされる、空間節約型ＮＢＣろ過システム。
【請求項２４】
前記電動送風機及び前記手動空気交換バックアップが、前記ＮＢＣフィルタユニットに取り付けられ、前記電動送風機に、前記切換弁の一次出口から空気を吸い込むために、小型曲りダクトが設けられる、請求項２３に記載の空間節約型ＮＢＣろ過システム。
【請求項２５】
前記ＮＢＣフィルタユニットが、前記前置フィルタの下で垂直に設置される、細長い形状であり、前記電動送風機及び手動空気交換バックアップが、平均的な身長の人による前記人力インタフェースの操作に適切な高さに配置される前記ＮＢＣフィルタユニットに取り付けられる、請求項２３に記載の空間節約型ＮＢＣろ過システム。
【請求項２６】
前記切換弁が、前記前置フィルタ出口と流れ連通する一次入口と、前記ＮＢＣフィルタユニット入口と流れ連通する二次出口と、前記ＮＢＣフィルタユニット出口と流れ連通する二次入口と、前記電動送風機の吸込口と流れ連通する一次出口とを備える、請求項２３に記載の空間節約型ＮＢＣろ過システム。
【請求項２７】
前記一次入口及び前記一次出口が内部で接続されたバイパス状態から、前記一次入口が前記二次出口と内部で接続され、前記一次出口が前記二次入口と内部で接続されたＮＢＣろ過状態に前記フラップ位置を変えるために、前記切換弁が、単一の状態セレクタハンドルによって同時に切り換えられる２つのばね付勢フラップを備える、請求項２６に記載の空間節約型ＮＢＣろ過システム。
【請求項２８】
前記バイパス状態位置において、前記フラップが、ガス、水分、及び粒子の侵入に対する前記ＮＢＣフィルタユニットの防護のための適切な密封性を有するエラストマーシールに対して押圧される、請求項２７に記載の空間節約型ＮＢＣろ過システム。
【請求項２９】
前記ＮＢＣろ過システムが、平均的な人の高さより高い位置に水平に配置される、請求項２４に記載の空間節約型ＮＢＣろ過システム。
【国際調査報告】
2019525115.tif 000014
2019525115.tif 000015
2019525115.tif 000016